(57)【要約】【課題】データ放送を視聴しないユーザに対して、選局毎にデータ取得報知メッセージが表示され煩わしい。【解決手段】データ放送エンジンがデータ放送のデータを取得中にＤキーが押されたときにデータ取得報知メッセージを表示する。そのために、アプリケーションにキーを配送するキー配送部と、データ放送のデータ取得と提示を行うデータ放送エンジンと、前記データ放送エンジンがＤボタンを利用するかを判断するＤキー配送制御部と、Ｄキー押下時に前記データ放送エンジンがデータ取得状態でなくＤボタンを利用していない場合にデータ取得を報知するデータ取得表示制御部と、データ取得中であることを報知するデータ取得描画部と、ユーザへ放送サービスの提示を行うディスプレイを備える。【選択図】図１
2005229250.tif 000002
【特許請求の範囲】
【請求項１】
アプリケーションにキーを配送するキー配送部と、データ放送のデータ取得と提示を行うデータ放送エンジンと、前記データ放送エンジンがＤボタンを利用するかを判断するＤキー配送制御部と、Ｄキー押下時に前記データ放送エンジンがデータ取得状態でなくＤボタンを利用していない場合にデータ取得を報知するデータ取得表示制御部と、データ取得中であることを報知するデータ取得描画部と、ユーザへ放送サービスの提示を行うディスプレイを備えたデータ放送受信機。
【発明の詳細な説明】
【技術分野】
【０００１】
本発明は、データ放送受信機においてデータ取得開始と完了をユーザに報知する際の報知方法に関するものである。
【背景技術】
【０００２】
従来のデータ放送受信機では、図６に示すようにチャンネルを選局した時，データ取得報知メッセージをテレビ映像に重畳して表示し、データ取得が完了するとこのメッセージを消去することによってデータの取得開始と完了を報知していた。また、ユーザ操作によりデータの取得を行う際に、データ取得開始とデータ取得完了を音声によって報知する装置がある（例えば、特許文献１参照）。これらの報知によりデータ放送が利用可能になったことを知ることができる。
【０００３】
また、図７にＢＳデジタル放送のデータ放送の提示例を示す。図７で最初に受信されるデータ放送のコンテンツは動画のみで、Ｄボタンが押下されると天気情報などのデータ放送コンテンツが提示される。図７の例の場合、選局後のコンテンツが動画のみのため、ユーザにはデータ放送コンテンツが存在しないように見え、次にＤボタンを押下したときコンテンツが開始されたように見える。
【特許文献１】特開２００２−３６８６３４号公報
【発明の開示】
【発明が解決しようとする課題】
【０００４】
上記のようなデータ取得報知メッセージでは、データ放送を視聴したいユーザは、データ取得報知メッセージが消えたときにＤボタンを押下するとデータ放送が視聴できるので、データ取得報知メッセージの表示は非常に有効である。しかし、データ放送を視聴しないユーザはデータ放送の受信できたことを確認する必要はないので、テレビ映像に重畳してデータ取得報知メッセージが表示されるので煩わしく感じるという問題があった。
【０００５】
本発明は、データ放送を視聴しないユーザにデータ取得報知メッセージ報知しない機能を備えたデータ放送受信機を提供することを目的とする。
【課題を解決するための手段】
【０００６】
本発明の請求項１に係るデータ放送受信機は、アプリケーションにキーを配送するキー配送部と、データ放送のデータ取得と提示を行うデータ放送エンジンと、前記データ放送エンジンがＤボタンを利用するかを判断するＤキー配送制御部と、Ｄキー押下時に前記データ放送エンジンがデータ取得状態でなくＤボタンを利用していない場合にデータ取得を報知するデータ取得表示制御部と、データ取得中であることを報知するデータ取得描画部と、ユーザへ放送サービスの提示を行うディスプレイを備えたデータ放送受信機である。
【発明の効果】
【０００７】
本発明により、チャンネル選局毎にデータ取得報知メッセージが表示されないので煩わしさを減少させることができる。
【発明を実施するための最良の形態】
【０００８】
（実施の形態）
図１は、本発明の実施の形態に係るデータ放送受信機の構成を示すブロック図で、図２は従来のデータ放送受信機を構成するブロック図である。
【０００９】
図１において、１０１はリモコン押下時のキーコードを各アプリケーションに配送するキー配送部、１０２はＤキーの配送先を決定しキー配送を行うＤキー配送制御部、１０３はデータ放送のデータを取得し表示するデータ放送エンジン、１０４は、Ｄキー配送制御部１０２からのＤキー配送されたときデータ取得状況に応じてデータ取得報知メッセージの表示、非表示の制御を行うデータ取得表示制御部、１０５はデータ取得報知表示をディスプレイに表示するデータ取得描画部、１０６は放送サービスを表示するディスプレイである。
【００１０】
データ放送エンジン１０３はデータ放送があるとデータ取得を開始し、データ取得表示制御部１０４にデータ取得を開始したことを通知する。データ放送エンジン１０３は、データ放送コンテンツで利用するキーをＤキー配送制御部１０２に配送要求し、Ｄキー配送制御部１０２は、キー配送部１０１に前記のキーとＤキーを配送要求する。リモコンのＤキーが押下された場合、キー配送部１０１は、Ｄキー配送制御部１０２にＤキーが押下されたことを通知し、Ｄキー配送制御部１０２はデータ放送エンジン１０３からＤキーが要求されていれば、データ放送エンジン１０３にＤキーが押下されたことを通知し、そうでなければデータ取得表示制御部１０４にＤキーが押下されたことを通知する。
【００１１】
データ取得制御表示部１０４は、Ｄキー押下通知を受けたとき、データ放送エンジン１０３がデータ取得中の場合、データ取得描画部１０５へデータ取得報知メッセージの表示を指示し、データ取得描画部１０５はディスプレイ１０６にデータ取得報知メッセージの表示を行う。データ放送エンジン１０３がデータ取得完了したとき、データ取得表示制御部１０４にデータ取得完了を通知し、データ取得表示制御部１０４は、データ取得描画部１０５にデータ取得報知メッセージの消去を指示し、データ取得描画部１０５はディスプレイ１０６に表示されているデータ取得報知メッセージを消去する。
【００１２】
次に、本発明のデータ放送受信機の処理について、データ放送エンジン１０３がキー配送要求をした場合、データ放送エンジン１０３のデータ取得状態が変化した場合及びリモコンのＤキーが押下された場合のフローを図３、図４、図５を用いて説明する。
【００１３】
図３において、Ｓ１０１では放送コンテンツで利用するキーをキー配送部に要求し、Ｓ１０２でＳ１０１のキー配送要求にＤキーがある場合はＳ１０５へ、ない場合はＳ１０３へ移る。Ｓ１０３では、キー配送部にＤキーの配送を要求し、Ｓ１０４でｓｅｎｄ＿ｄｋｅｙに０を設定する。Ｓ１０５ではｓｅｎｄ＿ｄｋｅｙに１を設定する。
【００１４】
図４で、Ｓ２０１でデータ放送エンジンが取得状態に変化した場合Ｓ２０２へ、そうでない場合（つまり取得完了状態へ変化した場合）Ｓ２０４へ移る。Ｓ２０４ではｄａｔａ＿ｌｏａｄｉｎｇに１を設定し終了。Ｓ２０２ではｄａｔａ＿ｌｏａｄｉｎｇに０を設定し，Ｓ２０３でデータ取得報知メッセージを消去する。
【００１５】
図５で、Ｓ３０１で配送されたキーがＤキーの場合はＳ３０２へ、そうでなければＳ３０５へ移る。Ｓ３０５ではキーをデータ放送エンジンへ配送する。Ｓ３０２では、ｓｅｎｄ＿ｄｋｅｙが１ならば（つまりデータ放送コンテンツでＤキーを利用する場合）Ｓ３０５へ、そうでなければ，Ｓ３０３へ移る。Ｓ３０３では、ｄａｔａ＿ｌｏｄｉｎｇが１の場合（つまり、データ放送エンジンがデータ取得中の場合）Ｓ３０４へ、そうでなければ終了する。Ｓ３０４ではデータ取得報知メッセージを表示する。
【００１６】
次に図７に従来のデータ放送受信機の選局時の動作を示す。選局後、全画面の動画が表示され，次にデータ放送のデータ取得を開始すると、左下にデータ取得報知メッセージ（例えば「データ取得中です」等。）が表示され、データ放送のデータを取得が完了するとデータ取得報知メッセージが消去される。この状態でＤキーを押すとデータ放送コンテンツが表示される。データ放送を見ないユーザの場合、選局毎に全画面動画、データ取得報知メッセージ表示、データ取得報知メッセージ消去が発生し煩わしく感じる。
【００１７】
本発明のデータ放送受信機でデータ放送を視聴しないユーザの場合の動作例を図８に示す。選局直後、全画面動画が表示され、データ放送エンジンがデータ取得開始してもデータ放送報知メッセージを表示されず、選局毎にデータ放送報知メッセージを表示されることはない。
【００１８】
本発明のデータ放送受信機でデータ放送を視聴するユーザの場合の動作例を図９に示す。選局直後、全画面動画が表示され、データ放送エンジンがデータ取得開始し、Ｄボタンを押下するとデータ取得報知メッセージが表示され、データ放送コンテンツの取得中でＤボタンが効かないことをユーザに示す。データ取得が完了するとデータ受信報知メッセージを消去され、ユーザはデータ放送が受信したことを認識し、再度Ｄキーを押してデータ放送の視聴できる。
【産業上の利用可能性】
【００１９】
本発明のデータ放送受信機は、データ放送を視聴しないユーザにはデータ取得を報知せず煩わしさを与えないので、テレビやセットトップボックス等に有用である。
【図面の簡単な説明】
【００２０】
【図１】本発明の実施の形態に係るデータ放送受信機の構成を示すブロック図
【図２】従来技術のデータ放送受信機の構成を示すブロック図
【図３】本発明の実施の形態に係るデータ放送エンジンのキー要求時のフローチャート
【図４】本発明の実施の形態に係るデータ放送エンジンのデータ取得状態変化時のフローチャート
【図５】本発明の実施の形態におけるＤキー押下時のフローチャート
【図６】従来技術に係るデータ取得報知メッセージ提示の一例を示す図
【図７】従来技術に係るデータ取得報知メッセージ提示の一例を示す図
【図８】本発明の実施の形態に係るデータ取得報知メッセージの第１の提示例を示す図
【図９】本発明の実施の形態に係るデータ取得報知メッセージの第２の提示例を示す図
【符号の説明】
【００２１】
１０１    キー配送部
１０２    Ｄキー配送制御部
１０３    データ放送エンジン
１０４    データ取得表示制御部
１０５    データ取得描画部
１０６    ディスプレイ
【図１】
2005229250.tif 000003
【図２】
2005229250.tif 000004
【図３】
2005229250.tif 000005
【図４】
2005229250.tif 000006
【図５】
2005229250.tif 000007
【図６】
2005229250.tif 000008
【図７】
2005229250.tif 000009
【図８】
2005229250.tif 000010
【図９】
2005229250.tif 000011